【手続補正書】
【提出日】平成18年1月12日(2006.1.12)
【手続補正１】
【補正対象書類名】明細書
【補正対象項目名】特許請求の範囲
【補正方法】変更
【補正の内容】
【特許請求の範囲】
【請求項１】  ディファレンシャルスイッチング回路であって、
該ディファレンシャルスイッチング回路の共通ノードと前記ディファレンシャルスイッチング回路の第１の出力ノードとの間に接続された第１のスイッチ要素と、
前記共通ノードと前記ディファレンシャルスイッチング回路の第２の出力ノードとの間に接続された第２のスイッチ要素と、
前記第１及び第２のスイッチ要素にそれぞれ対応する第１及び第２のドライバ手段であって、各該第１及び第２のドライバ手段は、印加される入力信号に依存してそれぞれ第１及び第２の状態の間でその要素を切換えるための対応する前記スイッチ要素に接続され、前記第１及び第２の状態のうち一方はオン状態で、前記第１及び第２の状態のうちのもう一方はオフ状態であり、前記第１及び第２のドライバ手段は、前記第１及び第２のスイッチ要素のうち一方が前記第２の状態を有するときは前記第１及び第２のスイッチ要素のうちのもう一方が前記第１の状態を有するように協働する第１及び第２のドライバ手段と、を含み、ここで、
各前記スイッチ要素は、該スイッチ要素に印加されるスイッチング信号によって前記第１の状態から前記第２の状態へ切換えられ、
各前記スイッチ要素は、他方の前記スイッチ要素に対応する前記ドライバ手段における整合要素と対であり、前記整合要素は、その対となる前記スイッチ要素に対応する前記ドライバ手段と動作的に結合され、
各前記整合要素は、該整合要素の所定のスイッチング動作がその対となる前記スイッチ要素の前記第１の状態から前記第２の状態へのスイッチングに整合されるように、その対となる前記スイッチ要素に印加される前記スイッチング信号の有効な値と整合する有効な値を有するスイッチング信号であって前記整合要素に印加されるスイッチング信号によって前記所定のスイッチング動作がなされ、前記整合要素の前記所定のスイッチング動作は、前記他方のスイッチ要素の、前記第２の状態から前記第１の状態への切換えを引き起こす役割をすることを特徴とするディファレンシャルスイッチング回路。
【請求項２】  各前記整合要素は、前記ディファレンシャルスイッチング回路が使用されているとき、前記共通ノードの電位に等しいか又は前記共通ノードの電位を追跡するような電位に維持された電位である端子を有する請求項１に記載のディファレンシャルスイッチング回路。
【請求項３】  各前記整合要素は前記共通ノードに直接接続された端子を有する請求項１に記載のディファレンシャルスイッチング回路。
【請求項４】  ディファレンシャルスイッチング回路であって、
該ディファレンシャルスイッチング回路の共通ノードと前記ディファレンシャルスイッチング回路の第１の出力ノードとの間に接続された第１のスイッチ要素と、
前記共通ノードと前記ディファレンシャルスイッチング回路の第２の出力ノードとの間に接続された第２のスイッチ要素と、
前記第１及び第２のスイッチ要素にそれぞれ対応する第１及び第２のドライバ手段であって、各該第１及び第２のドライバ手段は、印加される入力信号に依存してそれぞれ第１及び第２の状態の間でその要素を切換えるための対応する前記スイッチ要素に接続され、前記第１及び第２の状態のうち一方はオン状態で、前記第１及び第２の状態のうちのもう一方はオフ状態であり、前記第１及び第２のドライバ手段は、前記第１及び第２のスイッチ要素のうち一方が前記第２の状態を有するときは前記第１及び第２のスイッチ要素のうちのもう一方が前記第１の状態を有するように協働する第１及び第２のドライバ手段と、を含み、ここで、
各前記スイッチ要素は、電界効果トランジスタであり、なおかつ、もう一方の前記スイッチ要素に対応するドライバ手段における整合のための電界効果トランジスタと対であり、各前記整合のための電界効果トランジスタのゲート−ソース間の電位は、前記整合のための電界効果トランジスタの所定のスイッチング動作がその対となる前記スイッチ要素の前記第１の状態から前記第２の状態へのスイッチングに整合されるように、前記ディファレンシャルスイッチング回路が使用されているとき、その対となる前記スイッチ要素のゲート−ソース間の電位に整合され、前記所定のスイッチング動作は、前記他方のスイッチ要素の、前記第２の状態から前記第１の状態への切換えを引き起こす役割をすることを特徴とするディファレンシャルスイッチング回路。
【請求項５】  各前記整合要素のトランジスタのソースは、前記ディファレンシャルスイッチング回路が使用されているとき、その対となる前記スイッチ要素の前記電界効果トランジスタのソース電位に等しいか又は前記ソース電位を追跡するような電位に維持される請求項４に記載のディファレンシャルスイッチング回路。
【請求項６】  各前記ドライバ手段は、入力信号を受信するための入力と、その対応する前記スイッチ要素に接続された出力であって、前記第１及び第２の状態の間でその要素を切換えるためにスイッチング信号を印加するための出力と、を有し、前記第１のドライバ手段の入力及び前記第２のドライバ手段の入力のそれぞれにおいて受信された前記入力信号は相互に相補的であり、
各前記ドライバ手段は、該ドライバ手段に対するディセーブル信号の印加によって、その前記入力における入力信号の変化に応答してその前記スイッチング信号を変えるよう動作可能な応答状態から、前記入力信号に応答しても前記スイッチング信号を変えない非応答状態へ切換え可能であり、
各前記入力信号が相補的に変化するとき前記ドライバ手段の一方が初めに前記応答状態にあり、前記ドライバ手段のもう一方が初めに前記非応答状態にあるような、他方の前記ドライバ手段の前記入力信号から前記第１及び第２のドライバ手段のそれぞれに対して前記ディセーブル信号を得るために接続されたクロスカップリング手段を前記ディファレンシャルスイッチング回路は更に備える請求項１から５のいずれか一項に記載のディファレンシャルスイッチング回路。
【請求項７】  初めに前記非応答状態にあるドライバ手段は、前記各入力信号が相補的に変化するとき、その対応する前記スイッチ要素がオンであるドライバ手段である請求項６に記載のディファレンシャルスイッチング回路。
【請求項８】  前記第１及び第２のドライバ手段のそれぞれに対する前記ディセーブル信号は、他方の前記ドライバ手段によって生成される前記スイッチング信号から得られる請求項６又は７に記載のディファレンシャルスイッチング回路。
【請求項９】  前記第１及び第２のドライバ手段のそれぞれに対する前記ディセーブル信号は、他方の前記ドライバ手段によって生成される前記スイッチング信号と全く同じ信号である請求項６又は７に記載のディファレンシャルスイッチング回路。
【請求項１０】  各前記ドライバ手段は、
第１及び第２の供給線と、
前記対応するスイッチ要素がオンになるように、前記出力の電位を前記第１の供給線の電位にするよう選択的に起動可能である第１の回路と、
前記対応するスイッチ要素がオフになるように、前記出力の電位を前記第２の供給線の電位にするよう選択的に起動可能である第２の回路と、
を有する請求項６から９のいずれか一項に記載のディファレンシャルスイッチング回路。
【請求項１１】  前記第２の回路の動作は、前記ディセーブル信号によってディセーブルされる請求項１０に記載のディファレンシャルスイッチング回路。
【請求項１２】  前記第１の回路は、前記第１の回路が起動されるとき、前記出力の電位が前記第１の供給線の電位になるようなレートを制御するための電流制御手段を有する請求項１０又は１１に記載のディファレンシャルスイッチング回路。
【請求項１３】  前記ドライバ手段の前記第１の回路も前記第２の回路も起動しないとき、各前記ドライバ手段は、オン状態にある前記対応するスイッチ要素を維持するために、所定のオン電位に前記出力の電位を維持するための開回路回避手段をさらに有する請求項１０から１２のいずれか一項に記載のディファレンシャルスイッチング回路。
【請求項１４】  前記第２の供給線電位は、前記共通ノードの電位と等しいか又は近い電位である請求項１０から１３のいずれか一項に記載のディファレンシャルスイッチング回路。
【請求項１５】  前記第１及び第２の相互補完入力信号をそれぞれ生成するための第１及び第２のレート制御手段を更に備え、各前記レート制御手段は、それが生成する前記入力信号のスルーレートを制御する役割をする請求項６から１４のいずれか一項に記載のディファレンシャルスイッチング回路。
【請求項１６】  前記ドライバ手段の前記入力信号が変化するとき、初めに前記非応答状態にあるドライバ手段からその対応する前記スイッチ要素へ結合される電荷を補償するための、各前記スイッチ要素に接続される補償手段をさらに備える請求項６から１５のいずれか一項に記載のディファレンシャルスイッチング回路。
【請求項１７】  前記補償手段は、初めに前記応答状態にあるドライバ手段の前記入力信号が変化するとき、初めの前記非応答状態にあるドライバ手段に対応する前記スイッチ要素に反対電荷をクロスカップリングすることによって補償されるようにもたらされるよう操作可能である請求項１６に記載のディファレンシャルスイッチング回路。
【請求項１８】  前記補償手段は、各前記ドライバ手段に対して、該当する前記ドライバ手段の前記出力と他方の前記ドライバ手段の前記入力との間に動作的に結合されるコンデンサを備える請求項１６又は１７に記載のディファレンシャルスイッチング回路。
【請求項１９】  請求項１から１８のいずれか一項に記載のディファレンシャルスイッチング回路と、
該ディファレンシャルスイッチング回路の前記共通ノードに動作的に接続され、実質的に一定の電流を前記共通ノードに運ぶための電流源又は電流シンクと、
を有する特徴とするディジタルアナログ変換器。
【請求項２０】  複数のディファレンシャルスイッチング回路であって、そのそれぞれが請求項１から１８のいずれか一項に記載のディファレンシャルスイッチング回路であり、前記複数のディファレンシャルスイッチング回路のそれぞれの前記第１の出力ノードは互いに接続されており、前記複数のディファレンシャルスイッチング回路のそれぞれの前記第２の出力ノードは互いに接続されているような、複数のディファレンシャルスイッチング回路と、
該複数のディファレンシャルスイッチング回路にそれぞれ対応する複数の電流源又は電流シンクであって、その前記対応するディファレンシャルスイッチング回路の前記共通ノードに動作的に接続され、実質的に一定の電流を前記共通ノードに運ぶための電流源又は電流シンクと、
を有することを特徴とするディジタルアナログ変換器。